(57)【要約】【課題】多様な道路環境で同時に適用できるタイヤを提供する。【解決手段】本発明によるタイヤは、リム、リムを包んで装着されるビッド、ビッドに連結されるサイドウォール、サイドウォールの上部に形成されて曲率が変化するように伸縮性を有する材質からなるサブトレッド及びサブトレッドの曲率変化に応じて相互間の間隔が変化するようサブトレッド上に配置される多数のトレッドブロックを含む。【選択図】図１
2016130126.tif 000002
【特許請求の範囲】
【請求項１】
リム、
前記リムを取り囲んで装着されるビッド、
前記ビッドに連結されるサイドウォール、
前記サイドウォールの上部に形成され、曲率が変化するよう伸縮性を有する材質からなるサブトレッド、及び
前記サブトレッドの曲率変化に応じて相互間の間隔が変化するよう、前記サブトレッド上に配置される多数のトレッドブロック
を含むタイヤ。
【請求項２】
前記サブトレッドは、タイヤの内部圧力の変化に応じて曲率が変化する請求項１に記載のタイヤ。
【請求項３】
前記リムは、タイヤの体積が変化するよう可変幅を有する請求項２に記載のタイヤ。
【請求項４】
前記リムは、リムを形成する円柱の両底面に配置される全面部と後面部とを含み、
前記全面部と後面部との間に配置され、前記リムの幅を調整するよう駆動されるリム幅調節装置を更に含む請求項３に記載のタイヤ。
【請求項５】
前記リム幅調節装置は、バネを含む機械装置または油圧システムからなる請求項４に記載のタイヤ。
【請求項６】
前記リムは、前記多数のトレッドブロックとの間隔が最小化されるオンロードモードを具現するための第１幅と、前記多数のトレッドブロックとの間隔が最大化されるオフロードモードを具現するための第１幅より小さい第２幅を有する請求項３に記載のタイヤ。
【請求項７】
前記オンロードモードにおいて、第１の直径を有し、
前記オフロードモードにおいて、前記第１の直径より大きい第２の直径を有する請求項６に記載のタイヤ。
【請求項８】
前記第２の直径は前記第１の直径の１．４倍以下の請求項７に記載のタイヤ。
【請求項９】
前記オンロードモードにおいて、１．５ないし２．８Ｂａｒの内部圧力を有し、
前記オフロードモードにおいて、２．８ないし３．６Ｂａｒの内部圧力を有する請求項６に記載のタイヤ。
【請求項１０】
前記多数のトレッドブロックは、六角柱の形状を有する請求項６に記載のタイヤ。
【請求項１１】
前記オンロードモードにおいて、前記トレッドブロックは前記トレッドブロックを取り囲む６つの隣接したトレッドブロックの中で４つのトレッドブロックに接し、２つのトレッドブロックと所定の間隔を有するよう配列され、
前記オフロードモードにおいて、前記トレッドブロックは前記トレッドブロックを取り囲む６つの隣接したトレッドブロックいずれとも所定の間隔を置くよう配列される請求項１０に記載のタイヤ。
【請求項１２】
前記サブトレッドは、８０〜９０の硬度、１１０〜１２５ｋｇｆ／ｃｍ２の３００％モジュラス、６００％以上の延伸率及び１２５ｋｇｆ／ｃｍ２以上の引張強度の物性を有する組成物で形成される請求項１に記載のタイヤ。
【発明の詳細な説明】
【技術分野】
【０００１】
本発明はタイヤに関するものであって、より詳しくは一般の道路環境だけでなく、オフロードなど様々な環境でも使用できるタイヤに関するものである。
【背景技術】
【０００２】
タイヤは、車の運行目的によって多様な性能を満たすため、様々な形状のトレッドを有する。該トレッドパターンデザインは、車の駆動力と制動力だけではなく、乗り心地と騷音、排水能力に大きな影響を及ぼす。
【０００３】
例えば、スポーツ走行向けのオンロード用タイヤは、接地面積を最大限確保できる形状を有するようデザインされ、オフロード用タイヤはトラックションを増加させるブロックタイプ状でデザインされている。また、スノー用タイヤは、スノー性能の最大化のための特異形状のカーフデザインを用いる。
【０００４】
さらに、近年は様々な環境で使用できる複合的特性を有するたタイヤを開発する試みが進められている。
【先行技術文献】
【特許文献】
【０００５】
【特許文献１】大韓民国登録特許公報第１３４７１７２号
【発明の概要】
【発明が解決しようとする課題】
【０００６】
本発明は、オンロード及びオフロードなど、多様な道路環境で同時に適用できるタイヤを提供することをその目的とする。
【課題を解決するための手段】
【０００７】
前記の目的を果たすための本発明によるタイヤは、リム、リムを包んで装着されるビッド（ｂｅａｄ）、ビッドに連結されるサイドウォール、サイドウォールの上部に形成され、曲率が変化するよう伸縮性を有する材質からなるサブトレッド、及び、サブトレッドの曲率変化に応じて相互間の間隔が変化するようサブトレッド上に配置される多数のトレッドブロックを含む。
【０００８】
サブトレッドは、タイヤの内部圧力の変化に応じて曲率が変化することができ、リムはタイヤの体積が変化するよう可変幅を有することができる。
リムは、リムを形成する円柱の両底面に配置される全面部と後面部を含み、タイヤは全面部と後面部との間に配置され、リムの幅を調節できるよう駆動されるリム幅調節装置を更に含むことができる。
【０００９】
リム幅の調節装置は、バネを含む機械装置または油圧システムからなることができる。
【００１０】
リムは、多数のトレッドブロックとの間隔が最小化されるオンロードモードを具現するための第１幅と、多数のトレッドブロックとの間隔が最大化されるオフロードモードを具現するための第１幅より小さい第２幅を有することができる。
【００１１】
オンロードモードでタイヤは第１の直径を有し、オフロードモードで前記第１の直径より大きい第２の直径を有し、第２の直径は前記第１の直径の１．４倍以下になることができる。
【００１２】
また、タイヤはオンロードモードで１．５〜２．８Ｂａｒの内部圧力を有し、オフロードモードで２．８〜３．６Ｂａｒの内部圧力を有することができる。
【００１３】
トレッドブロックは、六角柱の形状を有することができ、オンロードモードでトレッドブロックはトレッドブロックを取り囲む６つの隣接したトレッドブロックの中で４つのトレッドブロックに接し、２つのトレッドブロックと所定の間隔を有するよう配列され、オフロードモードでトレッドブロックを取り囲む６つの隣接したトレッドブロックいずれとも所定の間隔を置くよう配列されることができる。
【００１４】
サブトレッドは８０〜９０の硬度、１１０〜１２５ｋｇｆ／ｃｍ２の３００％モジュラス、６００％以上の延伸率及び１２５ｋｇｆ／ｃｍ２以上の引張強度の物性を有する組成物に形成されることができる。
【発明の効果】
【００１５】
本発明は、一般の道路環境と砂漠または泥道のようなオフロード環境いずれにも適用できるタイヤを提供することができる。
【００１６】
本発明によるタイヤは、オンロードモードでタイヤの接地面積が増大し、車高が低くなって高速走行の安全性を高める効果がある。
【００１７】
本発明によるタイヤは、オフロードモードでトラックション、ブレーキング性能が向上し、車高が高くなって車の下部の損傷を防ぐことができる効果がある。
【図面の簡単な説明】
【００１８】
【図１】図１は、本発明の実施例によるタイヤの断面図である。
【図２】図２は、本発明の実施例によるタイヤの断面図である。
【図３】図３は、本発明の実施例によるタイヤの斜視図である。
【図４】図４は、本発明の実施例によるタイヤの斜視図である。
【図５】図５は、それぞれ図３及び図４のトレッドブロックを拡大して表した斜視図である。
【図６】図６は、それぞれ図３及び図４のトレッドブロックを拡大して表した斜視図である。
【図７】図７は、図１及び図２のリム幅調節装置を例示した側面図である。
【発明を実施するための形態】
【００１９】
本発明の利点及び特徴、それらを達成する方法は、添付された図とともに詳述されている実施例を参考にすれば明確になる。しかし、本発明はここで説明される実施例に限られず、他の形態に具体化されることもできる。むしろ、ここで紹介される実施例は、開示された内容が徹底かつ完全になるよう、そして当業者に本発明の思想が十分に伝わるよう提供されるものである。
【００２０】
本明細書における用語は、単に特定の実施例を説明するために用いられ、本発明を限定しようとする意図ではない。単数の表現は、文脈上明らかに他の意味がない限り、複数の表現を含む。本明細書において「含む」または「有する」などの用語は、明細書上に記載した特徴、数字、段階、動作、構成要素、部分品またはこれらを組み合わせたものが存在することを指定するためであって、一つまたはそれ以上の他の特徴や数字、段階、動作、構成要素、部分品またはこれらを組み合わせたものなどの存在または付加可能性を予め排除しないものと理解されなければならない。
【００２１】
他に定義がない限り、技術的又は科学的用語を含め、ここで用いられる用語いずれも、本発明の属する技術分野で通常の知識を有する者によって一般的に理解されるものと同じ意味になる。一般的に用いられる辞書に定義されている用語は、関連技術の文脈における意味に一致するものと解されなければならず、本明細書に明らかに定義しない限り、理想的又は過度に形式的な意味として解されない。
【００２２】
以下、添付された図を参考とするとともに、本発明の一実施例によるタイヤの実施例を詳細に説明する。
【００２３】
図１と図２は、本発明の実施例によるタイヤ１００を表した断面図であって、それぞれオンロードモードとオフロードモードでの様態を表す。本発明の実施例によるタイヤ１００は、スポーツ走行向けのオンロードモードと砂漠や泥道の条件で最適性能を発揮できるオフロードモードを具現できるよう構成される。本実施例によるタイヤは、空気入りタイヤ（ｐｎｅｕｍａｔｉｃ  ｔｉｒｅ）でありうる。
【００２４】
図１及び図２に示されるように、本発明の実施例によるタイヤ１００は、リム１０、ビッド２０、サイドウォール３０、サブトレッド４０及び多数のトレッドブロック５０を含む。
【００２５】
ビッド２０は、リム１０を包んで装着される部分であり、サイドウォール３０はビッド２０に連結され、タイヤ１００の側面を構成する。
【００２６】
サブトレッド４０は、サイドウォール３０の上部に形成され、曲率が変化するよう伸縮性を有する材質からなる。本実施例におけるサブトレッド４０は、リム幅の変化及びそれによるタイヤ１００の内部圧力の変化に応じ、その曲率が変化するよう構成される。サブトレッド４０は、タイヤ１００の耐圧増加によって表面積の増加するよう伸縮性の大きい特性を有する組成物を適用するのが好ましい。サブトレッド４０の組成物は、外部の条件での疲労及び応力を最小化するのが好ましく、特に、耐熱老化性、高温での使用条件でも耐熱性の優れた特性を持たせるのが好ましい。
【００２７】
前記の条件を満足するため、サブトレッド４０は、例えば８０〜９０の硬度、１１０〜１２５ｋｇｆ／ｃｍ２の３００％モジュラス、６００％以上の延伸率及び１２５ｋｇｆ／ｃｍ２以上の引張強度の物性を有するゴム組成物に形成されることができる。
【００２８】
トレッドブロック５０は、道路の表面に接する部分であり、サブトレッド４０の曲率変化に応じて相互間の間隔が変わるようサブトレッド４０上に配置される。図１に示されるように、オンロードモードでトレッドブロック５０は、隣接したトレッドブロック５０に密着するよう配列される。トレッドブロック５０は、タイヤ１００がその固有の特性を発揮できるよう、キャップトレッドゴム組成物からなり得る。
【００２９】
国際共用規格に準じ、特定サイズのタイヤは特定サイズのリム幅を使うよう制限される。しかし、本発明の実施例によるタイヤ１００は、リム幅が変更できるリム１０を有し、リム幅の変更によってタイヤ１００のパターン形状を変更して使用条件に最適なタイヤ１００のトレッド状を有する。
【００３０】
本実施例によるリム１０は、リム１０を形成する円柱の両底面に配置される全面部１２と後面部１４を含み、タイヤ１００はリム１０の全面部１２と後面部１４との間に配置され、リム幅Ｗ１、Ｗ２を調節できるよう駆動されるリム幅調節装置６０を更に含む。リム幅調節装置６０は、バネを含む機械装置または油圧システムからなることができ、リム幅調節装置の詳細な例示は後述する。
【００３１】
図１に示されるように、リム１０は多数のトレッドブロック５０間の間隔が最小化されるオンロードモードを具現するための第１幅Ｗ１を有し、図２に示されるように、トレッドブロック５０間の間隔が最大化されるオフロードモードｏｆｆ−ｒｏａｄ  ｍｏｄｅを具現するための第１幅Ｗ１より小さい第２幅Ｗ２を有するようその幅が調節される。
【００３２】
このとき、図１のように、リム１０は第１幅Ｗ１を有する場合、サブトレッド４０は曲率がほぼない平たい層の形状を有し、サブトレッド４０上に配置されたトレッドブロック５０は密着し合い、又はその間隔が最小化された状態となる。これにより、オンロードモードでタイヤ１００は接地面積を増大させ、ブロック剛性を高めて高速走行の安全性を高めることができる。又、ＳＨ（Ｓｅｃｔｉｏｎ  Ｈｅｉｇｈｔ）が小さくなって車の重さ中心を低め、コーナリング性能を向上させることができる。
【００３３】
一方、図２のように、リム幅が第２幅Ｗ２で小さくなれば、タイヤ１００の内部体積は減り、体積と圧力に関するボイルの法則によって耐圧は増えることになる。耐圧の増加によってサブトレッド４０は膨脹し、一定の曲率を有するラウンド状になる。これにより、サブトレッド４０に配列された各トレッドブロック５０との間隔は大きくなり、タイヤ１００の表面にはトレッドブロック５０との間隔によるグルーブが形成される。このように形成されるグルーブにより、タイヤ１００はオフロードまたは泥道の環境に相応しい形状に変更される。
【００３４】
このようなオープンブロック状のパターンは、オフロードでパターンブロックによるキッキング或いは抵抗性を増大させることで、トレックション及びブレーキング性能を向上させる。又、タイヤ１００のＳＨが大きくなって車高（ｒｉｄｅ  ｈｉｇｈｔ）が高まるが、これによってオフロード条件の下で車の下部の損傷を防ぐ効果が得られる。
【００３５】
以下では、図３〜図６を参考にし、各モードで本実施例によるタイヤの特性について詳述する。図３と図４はそれぞれ、オンロードモードとオフロードモードでのタイヤの形状を表した斜視図である。前述したように、リム幅が減少される場合、オンロードモードで平たい形状を有するサブトレッドが曲率の有するラウンド状になり、オフロードモードでタイヤはオンロードモードより大きい直径を有するようになる。
【００３６】
図３に示されるように、オンロードモードでタイヤは第１の直径［Ａ］を有し、図４に示されるように、オフロードモードで第１の直径［Ａ］より大きい第２の直径［Ｂ］を有する。このとき、過度な車高の変化による運行安全性の問題及びサブトレッド材質の好ましい延伸率などを考慮すれば、第２の直径［Ｂ］は第１の直径［Ａ］の１．４倍以下になるのが好ましい。
【００３７】
また、本発明の実施例によるタイヤはオンロードモードで、１．５〜２．８Ｂａｒの内部圧力を有し、オフロードモードで、２．８〜３．６Ｂａｒの内部圧力を有することができる。このような圧力の増加により、オフロードモードでサブトレッドは曲率を有する形状に変更されることができる。
【００３８】
図５と図６はそれぞれ、オンロードモードとオフロードモードでのトレッドブロックを表す。本実施例においてトレッドブロックは、六角柱の形状を有するよう構成されることができる。トレッドブロックが六角形の断面を有することにより、一つのトレッドブロックは６つの隣接したトレッドブロックによって取り囲まれる。このとき、図５に示されるように、オンロードモードでは、一つのトレッドブロックはこれを取り囲む６つのトレッドブロックの中で４つのトレッドブロックに接し、互いに対向配置される残り２つのトレッドブロックと所定の間隔を有するよう配列される。このような配置により、オンロードモードでタイヤの接地力を高めることができる。
【００３９】
また、図６に示されるように、オフロードモードで、トレッドブロックはトレッドブロックを取り囲む６つの隣接したトレッドブロックいずれとも所定の間隔を置くよう配列され、その間隔によってオフロードモードに適したグルーブが形成できるようにする。
【００４０】
しかしながら、本発明が前述のトレッドブロックの形状に限定されるのではなく、トレッドブロックの形状及び配列は、必要な用途や目的によって多様な形状に具現されることができる。
【００４１】
図７は、リム幅調節装置を例示したものであり、本実施例によるリム幅調節装置６０は、バネ６２を含む機械装置からなる。以下では図７を参考にしながら、リム幅調節装置６０の構成に対して詳述する。
【００４２】
リムの全面部１２と後面部１４との間には、バネ６２で弾性保持されたスプリングダンパー６４が連結される。スプリングダンパー６４には、従動かさ歯車６６が取り付けられ、従動かさ歯車６６は可動かさ歯車６８に噛み合う。可動かさ歯車６８の軸は、スクリュー回転軸７２とねじ締付方式で噛み合うように構成される。これによって、スクリュー回転軸７０の回転によって可動かさ歯車６８に噛み合った従動かさ歯車６６が駆動し、スプリングダンパー６４を駆動させてリム１０の前面部１２と後面部１４との長さを調節するよう構成される。更に、スクリュー回転軸７０のストッパーピン７６は、リムに固定される支持台７２の間隔溝７４に選択的に合わせて固定されることで、リム幅が所定の値に調節された後、リム幅を固定させるようになる。
【００４３】
前記の構成を有するリム幅調節装置６０において、スクリューより詳しいリム幅調節方法は、本明細書の先行文献として示した登録特許第１３４７１７２号に開示された内容に従うことができる。しかし、本発明がこのような構造のリム幅調節装置に限定されるのではなく、前述のとおり、リム幅の調節は油圧或いは電気制御システムによっても可能である。
【００４４】
前述の本発明における実施例によるタイヤは、オンロードとオフロードモードいずれを同時に提供するようになるので、消費者に対して最適性能のタイヤを提供しつつも、道路の環境によって別途タイヤを交換する必要がなくなり、経済的な効率性も増大させることができる。
【００４５】
以上、添付図を参考にし、本発明の好ましい一実施例について説明したが、本発明の属する技術分野において、通常の知識を有する者であれば本発明がその技術的思想又は必須の特徴を変えなくても、他の具体的な形態に実施できることを理解することができるはずである。そのため、前述の実施例はあらゆる側面で例示に過ぎず、限定的ではないものと理解しなければならない。
【符号の説明】
【００４６】
１０：リム                  ２０：ビッド
３０：サイドウォール        ４０：サブトレッド
５０：トレッドブロック      ６０：リム幅調節装置
【図１】
2016130126.tif 000003
【図２】
2016130126.tif 000004
【図７】
2016130126.tif 000005
【図３】
2016130126.tif 000006
【図４】
2016130126.tif 000007
【図５】
2016130126.tif 000008
【図６】
2016130126.tif 000009